(57)【要約】      （修正有）【課題】新規なプリント管理方法、プリント管理システム、及び、プリント管理プログラムを提供する。【解決手段】フォト画像データ及びフレーム画像データの指定を行う指定ステップと、前記指定ステップにより指定された前記フォト画像データ及びフレーム画像データに基づき合成画像データの生成を行う合成ステップと、前記合成画像データに基づくプリント処理を行い、プリント物を作製するプリントステップと、前記合成画像データと対応する有効な合成画像管理コードの表示処理又は通知処理を行う開示ステップと、をプリント端末に実行させ、前記指定ステップは、前記合成画像管理コードの指定を行い、前記プリントステップは、前記指定ステップにより指定された前記合成画像管理コードと対応する前記合成画像データに基づき、前記プリント処理を行う、プリント管理方法及びそのシステムとプログラムとする。【選択図】図１
2020203440.tif 000002
【特許請求の範囲】
【請求項１】
プリント管理方法であって、
フォト画像データ及びフレーム画像データの指定を行う指定ステップと、
前記指定ステップにより指定された前記フォト画像データ及びフレーム画像データに基づき合成画像データの生成を行う合成ステップと、
前記合成画像データに基づくプリント処理を行い、プリント物を作製するプリントステップと、
前記合成画像データと対応する合成画像管理コードの表示処理又は通知処理を行う開示ステップと、
をプリント端末に実行させ、
前記指定ステップは、前記合成画像管理コードの指定を行い、
前記プリントステップは、前記指定ステップにより指定された前記合成画像管理コードと対応する前記合成画像データに基づき、前記プリント処理を行う、
プリント管理方法。
【請求項２】
前記プリントステップは、１又は２の前記合成画像データと対応する２の印刷箇所と、当該２の印刷箇所のそれぞれを切り離すための切取線と、を有する前記プリント物を作製するよう前記プリント処理を行う、
請求項１に記載のプリント管理方法。
【請求項３】
前記合成画像データの生成以降に決済処理を行う決済ステップを、プリント端末に実行させ、
前記決済ステップは、決済スキームを択一的に指定し、当該決済スキームと、１次元又は２次元コードの読取処理、及び、近距離無線通信による読取処理の何れかと、に基づき、前記決済処理を行い、
前記プリントステップは、前記決済処理が完了した場合、前記プリント処理を行う、
請求項１又は２に記載のプリント管理方法。
【請求項４】
前記合成画像管理コードを生成する管理ステップを、管理サーバに実行させ、
前記管理ステップは、前記合成画像データの生成日時から所定時間が経過した後に、前記合成画像データを削除する、
請求項１〜３の何れかに記載のプリント管理方法。
【請求項５】
前記管理ステップは、アップロードされた前記フォト画像データ及び前記合成画像管理コードを対応付け、前記合成ステップにより当該フォト画像データに基づき生成された前記合成画像データ、及び、当該合成画像管理コードを対応付ける、
請求項４に記載のプリント管理方法。
【請求項６】
前記管理ステップは、前記合成ステップによる前記合成画像データの生成以降に前記合成画像管理コードの生成を行い、当該合成画像データ及び合成画像管理コードを対応付ける、
請求項４に記載のプリント管理方法。
【請求項７】
前記管理ステップは、前記合成画像データと対応する前記合成画像管理コードが生成されていない場合、当該合成画像データに係る前記プリント処理の完了を転機として、当該合成画像データの削除を行う、
請求項４〜６の何れかに記載のプリント管理方法。
【請求項８】
プリント管理システムであって、
フォト画像データ及びフレーム画像データの指定を行う指定手段と、
前記指定手段により指定された前記フォト画像データ及びフレーム画像データに基づき合成画像データの生成を行う合成手段と、
前記合成画像データに基づくプリント処理を行い、プリント物を作製するプリント手段と、
前記合成画像データと対応する合成画像管理コードの表示処理又は通知処理を行う開示手段と、を有し、
前記指定手段は、前記合成画像管理コードの指定を行い、
前記プリント手段は、前記指定手段により指定された前記合成画像管理コードと対応する前記合成画像データに基づき、前記プリント処理を行う、
プリント管理システム。
【請求項９】
プリント管理プログラムであって、プリント端末を、
フォト画像データ及びフレーム画像データの指定を行う指定手段と、
前記指定手段により指定された前記フォト画像データ及びフレーム画像データに基づき合成画像データの生成を行う合成手段と、
前記合成画像データに基づくプリント処理を行い、プリント物を作製するプリント手段と、
前記合成画像データと対応する合成画像管理コードの表示処理又は通知処理を行う開示手段と、として機能させ、
前記指定手段は、前記合成画像管理コードの指定を行い、
前記プリント手段は、前記指定手段により指定された前記合成画像管理コードと対応する前記合成画像データに基づき、前記プリント処理を行う、
プリント管理プログラム。
【発明の詳細な説明】
【技術分野】
【０００１】
本発明は、新規なプリント管理方法、プリント管理システム及びプリント管理プログラムに関する。
【背景技術】
【０００２】
デジタルプリントは、被写体が投影された静止画を有体物（プリント物）として提供する一手段として、人気を博している。従来、デジタルプリントは、その一態様として、プリントシール機又はプリクラ（登録商標）をその一態様として認知されてきた。
【０００３】
プリントシール機やプリクラ（登録商標）は、被写体の撮影とその印刷とが可能である点が人気を博し、主に若年層において、プリント物を交換し合う文化を醸成していった、と把握することができる。
【０００４】
しかしながら、スマートフォン等のカメラ機能を有する携帯通信端末の普及に伴い、デジタルプリントの有り様は変わりつつある。また、写真画像の共有経路の多くは通信ネットワークへ移りつつある、と把握することができる。
【０００５】
特許文献１に記載の遊戯装置における画像データの配信方法では、通信ネットワークを介して複数の画像処理端末とサーバとが、また、キャリア系通信網を介して複数の携帯端末とサーバとが、それぞれ接続されているネットワーク環境において、送信者としての画像処理端末に対しては、送信先となる受信者に送信する画像データの作成と、送信先となる受信者の選択と、を促すと共に、送信された画像データを受信者のメールアルバムに保存する段階と、を備え、受信者としての携帯端末に対しては、その携帯端末の種類を識別して配信に適した画像データの種別を決定し、受信者のメールアルバムを読み出して閲覧可能に出力する段階と、を、備えている。しかしながら、特許文献１に記載の発明は、有体物（プリント物）のシェアを簡便にするには至っていない。
【先行技術文献】
【特許文献】
【０００６】
【特許文献１】特許第３３２４０３６号公報
【発明の概要】
【発明が解決しようとする課題】
【０００７】
無体物としての画像をネットワーク上で共有することは、今日の情報サービステクノロジーにおいて容易であるものの、有体物としてのプリント物のシェアは未だ簡便ではない。
【０００８】
ネットワーク上で共有された画像を共有元／共有先の双方でプリント処理することは困難ではないものの、データの共有や印刷機器の準備等を含めたコスト／労力を鑑みたとき、有体物としてのプリント物は未だ簡便ではない、と把握することができる。
【０００９】
以上を踏まえ、本発明は、新規なプリント管理方法、プリント管理システム及びプリント管理プログラムを実現すること、を解決すべき課題とする。
【課題を解決するための手段】
【００１０】
上記課題を解決するために、本発明は、プリント管理方法であって、フォト画像データ及びフレーム画像データの指定を行う指定ステップと、前記指定ステップにより指定された前記フォト画像データ及びフレーム画像データに基づき合成画像データの生成を行う合成ステップと、前記合成画像データに基づくプリント処理を行い、プリント物を作製するプリントステップと、前記合成画像データと対応する合成画像管理コードの表示処理又は通知処理を行う開示ステップと、をプリント端末に実行させ、前記指定ステップは、前記合成画像管理コードの指定を行い、前記プリントステップは、前記指定ステップにより指定された前記合成画像管理コードと対応する前記合成画像データに基づき、前記プリント処理を行う。
【００１１】
このような構成とすることで、本発明は、合成画像管理コードのシェアと、共有された合成画像管理コードの指定によるプリント処理とにより、簡便なプリント物のシェアを実現することができる。
【００１２】
本発明の好ましい形態では、前記プリントステップは、１又は２の前記合成画像データと対応する２の印刷箇所と、当該２の印刷箇所のそれぞれを切り離すための切取線と、を有する前記プリント物を作製するよう前記プリント処理を行う。
このような構成とすることで、本発明は、プリント物のシェアを好適に実現することができる。
【００１３】
本発明の好ましい形態では、前記合成画像データの生成以降に決済処理を行う決済ステップを、プリント端末に実行させ、前記決済ステップは、決済スキームを択一的に指定し、当該決済スキームと、１次元又は２次元コードの読取処理、及び、近距離無線通信による読取処理の何れかと、に基づき、前記決済処理を行い、前記プリントステップは、前記決済処理が完了した場合、前記プリント処理を行う。
このような構成とすることで、本発明は、種々の決済スキームに応じた決済処理を前提とするプリントサービスをユーザに対して提供可能なシステムを実現することができる。
【００１４】
本発明の好ましい形態では、前記合成画像管理コードを生成する管理ステップを、管理サーバに実行させ、前記管理ステップは、前記合成画像データの生成日時から所定時間が経過した後に、前記合成画像データを削除する。
このような構成とすることで、合成画像の管理に係るデータベース負荷を低減することができ、好適なプリント管理を実現することができる。
【００１５】
本発明の好ましい形態では、前記管理ステップは、アップロードされた前記フォト画像データ及び前記合成画像管理コードを対応付け、前記合成ステップにより当該フォト画像データに基づき生成された前記合成画像データ、及び、当該合成画像管理コードを対応付ける。
このような構成とすることで、本発明は、画像の合成に先行して合成画像管理コードを生成することができるため、合成画像管理コードのシェアを好適に促すことができる。
【００１６】
本発明の好ましい形態では、前記管理ステップは、前記合成ステップによる前記合成画像データの生成以降に前記合成画像管理コードの生成を行い、当該合成画像データ及び合成画像管理コードを対応付ける。
このような構成とすることで、本発明は、画像の合成に先行して合成画像管理コードを生成していなかった場合でも、合成画像管理コードの生成をポストプロセスとして行うことができるため、合成画像管理コードのシェアを好適に促すことができる。
【００１７】
本発明の好ましい形態では、前記管理ステップは、前記合成画像データと対応する前記合成画像管理コードが生成されていない場合、当該合成画像データに係る前記プリント処理の完了を転機として、当該合成画像データの削除を行う。
このような構成とすることで、本発明は、合成画像の管理に係るデータベース負荷を低減することができ、好適なプリント管理を実現することができる。なお、当該データベース負荷の低減は、合成画像管理コード生成の是非に示されるユーザ意向に基づくため、ユーザドリブンなシステム運用を期待することができる。
【００１８】
上記課題を解決するために、本発明は、プリント管理システムであって、フォト画像データ及びフレーム画像データの指定を行う指定手段と、前記指定手段により指定された前記フォト画像データ及びフレーム画像データに基づき合成画像データの生成を行う合成手段と、前記合成画像データに基づくプリント処理を行い、プリント物を作製するプリント手段と、前記合成画像データと対応する合成画像管理コードの表示処理又は通知処理を行う開示手段と、を有し、前記指定手段は、前記合成画像管理コードの指定を行い、前記プリント手段は、前記指定手段により指定された前記合成画像管理コードと対応する前記合成画像データに基づき、前記プリント処理を行う。
【００１９】
上記課題を解決するために、本発明は、プリント管理プログラムであって、プリント端末を、フォト画像データ及びフレーム画像データの指定を行う指定手段と、前記指定手段により指定された前記フォト画像データ及びフレーム画像データに基づき合成画像データの生成を行う合成手段と、前記合成画像データに基づくプリント処理を行い、プリント物を作製するプリント手段と、前記合成画像データと対応する合成画像管理コードの表示処理又は通知処理を行う開示手段と、として機能させ、前記指定手段は、前記合成画像管理コードの指定を行い、前記プリント手段は、前記指定手段により指定された前記合成画像管理コードと対応する前記合成画像データに基づき、前記プリント処理を行う。
【発明の効果】
【００２０】
本発明によると、新規なプリント管理方法、プリント管理システム及びプリント管理プログラムを実現することができる。
【図面の簡単な説明】
【００２１】
【図１】本発明の一実施形態におけるプリント管理システムの概要の説明図である。
【図２】本発明の一実施形態におけるネットワーク図及び機能ブロック図である。
【図３】本発明の一実施形態におけるプリント端末の装置構成図である。
【図４】本発明の一実施形態におけるプリント物の説明図である。
【図５】本発明の一実施形態におけるプリント管理方法の説明図である。
【図６】本発明の一実施形態におけるアップロードステップの説明図である。
【発明を実施するための形態】
【００２２】
本発明の一実施形態では、プリント管理システムの構成、動作などについて説明するが、同様の構成の方法、プログラム、記録媒体なども、同様の作用効果を奏する。例えば、プリント管理システムにおける各手段のそれぞれと、情報管理方法における各ステップは同様の機能を発揮する。なお、プログラムは、記録媒体に記憶させてよい。当該記録媒体を用いれば、一例として、コンピュータ装置に当該プログラムをインストールすることができる。当該プログラムを記憶した記録媒体は、一例として、光ディスクやフラッシュメモリなどの、非一過性の記録媒体である。
【００２３】
以下、図面を用いて、本発明の一実施形態に係るプリント管理システムについて説明する。なお、以下に示す実施形態は本発明の一例であり、本発明を以下の実施形態に限定するものではなく、様々な構成を採用できる。なお、本発明の一実施形態に係る各手段・各ステップ等は、外部サービスとのデータ送受信を行う際、適宜、ＡＰＩを介してよい。
【００２４】
図１に示すように、本発明の一実施形態におけるプリント管理システムによる処理は以下のような複数のフェーズからなる、と把握することができる。
（１）：ユーザが、ユーザ端末２を介して管理サーバ３又はアップロードサーバ４へフォト画像データＤ１をアップロードする。
（２）：ユーザが、プリント端末１を介してフォト画像データＤ１及びフレーム画像データＤ２を指定し、合成画像データＤ３を生成する。
（３）：ユーザが、プリント端末１を介して決済通信処理を行う。
（４）：プリント端末１が、決済通信処理が完了した後に、当該合成画像データＤ３のプリント処理を行い、プリント物Ｐ０を作製する。
（５）：異なるユーザ間において、合成画像管理コードＤ０がシェアされる。
（６）：ユーザが、合成画像管理コードＤ０の指定を起点として、再び、当該合成画像データＤ３に基づくプリント処理を行い、プリント物Ｐ０を作製する。
【００２５】
図２（ａ）に示すように、プリント管理システムは、少なくとも、プリント端末１と、ユーザ端末２と、管理サーバ３と、を備える。このとき、プリント端末１と、ユーザ端末２と、管理サーバ３と、は通信ネットワークＮＷを介して相互接続される。
【００２６】
図２（ｂ）に示すように、プリント端末１は、少なくとも、プリント入力手段１０１と、プリント表示手段１０２と、指定手段Ｍ２０と、合成手段Ｍ３０と、決済手段Ｍ４０と、プリント手段Ｍ５０と、開示手段Ｍ７０と、を有する。
【００２７】
図２（ｂ）に示すように、ユーザ端末２は、少なくとも、ユーザ入力手段２０１と、ユーザ表示手段２０２と、ユーザ撮影手段２０３と、アップロード手段Ｍ１０と、決済依頼手段２０４と、を有する。
【００２８】
図２（ｂ）に示すように、管理サーバ３は、少なくとも、管理手段Ｍ６０と、を有し、データベースＤＢ３１と、データベースＤＢ３２と、データベースＤＢ３３と、データベースＤＢ３４と、対応する。本発明の一実施形態における各種データベースは、リレーショナルデータベースや、ＫＶＳ（Ｋｅｙ  Ｖａｌｕｅ  Ｓｔｏｒｅ）等の慣用の方式に基づいて構築される。
【００２９】
本発明の一実施形態におけるプリント管理システムは、アップロードサーバ４を備えてよい。プリント管理システムがアップロードサーバ４を備えない場合、管理サーバ３がアップロードサーバ４に係る機能を有する。プリント端末１、ユーザ端末２及び管理サーバ３に係るハードウェア構成と、上記の各手段・各データベースの詳細と、は後述される。
【００３０】
図３に示すように、プリント端末１は、少なくとも、プリント用表示部Ｅ１１と、プリント用決済部Ｅ１２Ａと、プリント用決済管理部Ｅ１２Ｆと、プリント用制御部Ｅ１３と、プリント用通信部Ｅ１４と、プリント用施錠部Ｅ１５と、プリント部Ｅ１６と、プリント用電源部Ｅ１７と、を備える。上記の各装置は、慣用のデータ転送ケーブル又は無線通信を介して相互に接続される。このとき、上記の各装置は、プリント用電源部Ｅ１７又は当該データ転送ケーブルにより接続される装置等から動作電力が供給される。
【００３１】
プリント用表示部Ｅ１１は、好ましくは、タッチパネルディスプレイであり、プリント入力手段１０１及びプリント表示手段１０２の機能を発揮するために用いられる。
【００３２】
プリント用表示部Ｅ１１に係るタッチパネル方式は、表面型静電容量方式、投影型静電容量方式、投影型赤外線方式、赤外線操作方式、抵抗膜方式及び超音波表面弾性波方式を含む慣用の方式の何れかから、適宜、選択される。
【００３３】
プリント用表示部Ｅ１１の画面サイズに特に制限はない。
【００３４】
プリント用決済部Ｅ１２Ａは、少なくとも、プリント用決済情報表示部Ｅ１２Ｂと、プリント用決済情報操作部Ｅ１２Ｃと、プリント用近接通信部Ｅ１２Ｄと、プリント用コード読取器Ｅ１２Ｅと、を有する。なお、プリント用決済部Ｅ１２Ａは、決済処理の成否又は決済スキームに基づく音声通知を行うためのオーディオ部を有してもよい。
【００３５】
プリント用決済情報表示部Ｅ１２Ｂは、決済スキームを示す情報と、決済処理に係る取引内容及び／又は成否を示す情報と、を表示処理する。
【００３６】
プリント用決済情報操作部Ｅ１２Ｃは、決済スキームの選択のための１又は２の操作部と、選択された決済スキームを確定させるための１の操作部と、をユーザインターフェースとして有する。
【００３７】
プリント用近接通信部Ｅ１２Ｄは、接触／非接触ＩＣ型カード（端末）との近距離無線通信のために用いられる。当該接触／非接触ＩＣ型カードは、ＥＭＶ（登録商標）、ＮＦＣ（登録商標）、Ｆｅｌｉｃａ（登録商標）、ＭＩＦＡＲＥ（登録商標）を含む慣用の方式が適宜、採用される。
プリント用コード読取器Ｅ１２Ｅは、１次元又は２次元コードの読取処理のために用いられる。
【００３８】
プリント用決済管理部Ｅ１２Ｆは、少なくとも、ＣＰＵ（Ｃｅｎｔｒａｌ  Ｐｒｏｃｅｓｓｉｎｇ  Ｕｎｉｔ）を含む決済管理用演算部と、ＲＡＭ（Ｒａｎｄｏｍ  Ａｃｃｅｓｓ  Ｍｅｍｏｒｙ）を含む決済管理用主記憶部と、フラッシュメモリを含む決済管理用補助記憶部と、セルラーモデル及び／又はイーサネット（登録商標）ケーブルコネクタ等を含む決済管理用通信部と、を有する。決済管理用補助記憶部は、ＯＳ（Ｏｐｅｒａｔｉｎｇ  Ｓｙｓｔｅｍ）及びアプリケーションプログラムの格納先として用いられる。
【００３９】
プリント用決済管理部Ｅ１２Ｆは、例として、ＪＶＭＡ（Ｊａｐａｎ  Ｖｅｎｄｉｎｇ  Ｍａｃｈｉｎｅ  Ｍａｎｕｆａｃｔｕｒｅｒｓ  Ａｓｓｏｃｉａｔｉｏｎ）準拠のデータ通信が可能である。
プリント用決済管理部Ｅ１２Ｆは、リチウムイオンバッテリーを含む決済管理用補助電源部を有してよい。
プリント用決済管理部Ｅ１２Ｆは、デジタルサイネージの態様で、プリント用表示部Ｅ１１を介して所定の画像／映像を表示処理してよい。
【００４０】
プリント用制御部Ｅ１３は、少なくとも、ＣＰＵを含む制御用演算部と、ＲＡＭを含む制御用主記憶部と、フラッシュメモリを含む制御用補助記憶部と、制御用通信部と、を有する。
プリント用制御部Ｅ１３は、プリント用表示部Ｅ１１、プリント用決済管理部Ｅ１２Ｆ及びプリント部Ｅ１６のそれぞれとのデータ通信を行い、各種処理のリクエストのために用いられる。
【００４１】
プリント用制御部Ｅ１３は、例えば、プリント用表示部Ｅ１１と協調してプリント入力手段１０１及びプリント表示手段１０２に係る機能を実現する。
プリント用制御部Ｅ１３は、例えば、プリント用決済管理部Ｅ１２Ｆ及びプリント用決済部Ｅ１２Ａと協調して決済手段に係る機能を実現する。
プリント用制御部Ｅ１３は、例えば、プリント部Ｅ１６と協調してプリント手段Ｍ５０に係る機能を実現する。その他、プリント端末１が有する機能の少なくとも一部は、プリント用制御部Ｅ１３により実現される。
【００４２】
プリント用通信部Ｅ１４は、プリント用決済管理部Ｅ１２Ｆ及び／又はプリント用制御部Ｅ１３に含まれる通信部に代えて、プリント用決済管理部Ｅ１２Ｆ及び／又はプリント用制御部Ｅ１３の通信処理を実現する。
プリント用通信部Ｅ１４は、ＩｏＴ（Ｉｎｔｅｒｎｅｔ  ｏｆ  Ｔｈｉｎｇｓ）／Ｍ２Ｍ（Ｍａｃｈｉｎｅ−ｔｏ−Ｍａｃｈｉｎｅ）ルータの態様をとり、好ましくは、プリント用通信部Ｅ１４の死活監視や温度／電圧監視が可能である。
【００４３】
プリント用施錠部Ｅ１５は、プリント端末１の施錠のために用いられる。本発明の一実施形態に係る施錠方式は、好ましくは、シリンダー錠式である。当該施錠方式は、テンキー式、磁気ロック式、カードキー式を含む慣用の方式から適宜、選択される。本発明の一実施形態に係る施錠方式は、プリント用決済部Ｅ１２Ａを例とする接触／非接触ＩＣ型カードの読取機能を有する機器に基づくＩＣカード式であってもよく、このとき、プリント用施錠部Ｅ１５が当該機器を有する構成をとり得る。
【００４４】
プリント部Ｅ１６は、プリント物Ｐ０に係るプリント処理のために用いられる。本発明の一実施形態におけるプリント方式は、好ましくは昇華型熱転写方式である。当該プリント方式は、インクジェット方式、マイクロドライ方式及びサーモオートクローム方式を含む慣用の方式から、適宜、選択されてよい。プリント部１６は、プリント物Ｐ０の取出口Ｅ１６Ａを有する。
【００４５】
本発明の一実施形態におけるプリント端末１は、好ましくは片開きの収納体であり、その内部に収容空間を有する。当該収容空間は、プリント端末１が有する各種機器／装置を収容可能である他、印刷用紙を例とする、プリント管理システムに係る消耗品が収容可能である。このとき、当該各種機器／装置の取付方式は、ネジ固定を含む慣用の方式から、適宜、選択される。なお、プリント端末１の寸法に、特に制限はない。
【００４６】
図４に示すように、プリント物Ｐ０には１又は２の合成画像データＤ３がプリント処理される。本発明の一実施形態におけるプリント物Ｐ０は、略中央部に切取線Ｐ１を有する。当該切取線Ｐ１では、例として、空孔が規則的かつ一方向に沿って配置される。
【００４７】
プリント物Ｐ０の寸法Ｐ０Ａは、好ましくは１９６ｍｍ以下であり、より好ましくは１４８ｍｍ以下であり、より好ましくは９８ｍｍ以下である。プリント物Ｐ０の寸法Ｐ０Ｂは、好ましくは１２７ｍｍ以下であり、より好ましくは１０５ｍｍ以下である。
【００４８】
ユーザ端末２は、少なくとも、ＣＰＵを含む演算部と、ＲＡＭを含む主記憶部と、フラッシュメモリを含む補助記憶部と、タッチパネルディスプレイを含む表示部と、通信部と、を有する。本発明の一実施形態に係るユーザ端末２は、例として、スマートフォン、タブレットデバイス及びウェアラブルデバイスの何れかの態様をとる。
【００４９】
管理サーバ３は、少なくとも、ＣＰＵを含む演算部と、ＲＡＭを含む主記憶部と、フラッシュメモリを含む補助記憶部と、通信部と、を有する。当該補助記憶部は、前述のデータベースＤＢ３１、データベースＤＢ３２、データベースＤＢ３３及びデータベースＤＢ３４と対応する。
【００５０】
アップロードサーバ４は、少なくとも、ＣＰＵを含む演算部と、ＲＡＭを含む主記憶部と、フラッシュメモリを含む補助記憶部と、通信部と、を有し、その補助記憶部はデータベースＤＢ３１と対応する。
【００５１】
図５に示すように、本発明の一実施形態に係るプリント管理システムの処理は、複数のステップに基づく。本発明の一実施形態に係るプリント管理システムの処理は、少なくとも、指定ステップＳ２０と、合成ステップＳ３０と、プリントステップＳ５０と、開示ステップＳ７０と、を含む。
【００５２】
指定ステップＳ２０は、プリント用表示部Ｅ１１におけるタッチパネル操作に基づき、後述する各種データの指定を行う。当該各種データのそれぞれの指定は、特に断りが無い限り、順不同で行われる。
【００５３】
指定ステップＳ２０は、指定ステップＳ２０Ａ及びＳ２０Ｂ、若しくは、指定ステップＳ２０Ｘを含む。
指定ステップＳ２０は、指定ステップＳ２０Ａ及びＳ２０Ｂと、指定ステップＳ２０Ｃ（図示せず）及び／又はＳ２０Ｄ（図示せず）と、を含む構成としてもよい。
また、指定ステップＳ２０は、指定ステップＳ２０Ｘと、指定ステップＳ２０Ｃ及び／又はＳ２０Ｄと、を含む構成としてもよい。
各指定ステップの詳細については、後述する。
【００５４】
指定ステップＳ２０Ａは、アカウントデータ、ハッシュタグデータ、フォト画像リンクデータ及びアップロード識別コードの少なくとも１つの指定を行う。
アカウントデータは、ソーシャルネットワークサービス等のアカウント識別子を示す。
ハッシュタグデータは、ソーシャルネットワークサービス等の投稿に付加されたハッシュタグを示す。
フォト画像リンクデータは、ソーシャルネットワークサービス等を含むウェブメディアのリンクを示す。
アップロード識別コードは、後述するアップロードステップＳ１０においてデータベースＤＢ３１に格納されたフォト画像データＤ１と対応する。なお、１のアップロード識別コードは１以上のフォト画像データＤ１と対応する。
【００５５】
指定ステップＳ２０Ａは、アカウントデータ、ハッシュタグデータ、フォト画像リンクデータ及びアップロード識別コードの少なくとも１つの指定が行われた後に、アップロードデータ用データベース上の１以上のフォト画像データＤ１の表示処理を行う。このとき、所定のハッシュタグデータと対応するフォト画像リンクデータに係るフォト画像データＤ１が表示処理される構成としてもよい。
次に、指定ステップＳ２０Ａは、ユーザ操作を介して１以上のフォト画像データＤ１の指定を行い、指定ステップＳ２０Ｂへ移行する。
【００５６】
指定ステップＳ２０Ａは、アカウントデータ、ハッシュタグデータ、フォト画像リンクデータ及びアップロード識別コードの少なくとも１つに係る指定を、プリント用決済部Ｅ１２Ａ等を介した１次元又は２次元コードの読取処理に基づき行ってよい。
当該１次元又は２次元コードは、アカウントデータ、ハッシュタグデータ、フォト画像リンクデータ及びアップロード識別コードの少なくとも１つと対応する。
【００５７】
指定ステップＳ２０Ａは、指定される前の１以上のフォト画像データＤ１に係る表示順を、アカウントデータ、ハッシュタグデータ、フォト画像リンクデータ又はアップロード識別コードに基づき決定してよい。当該表示順は、例として、「いいね！」等のソーシャルボタンに係る入力回数や投稿日時等に基づき決定される。
【００５８】
指定ステップＳ２０Ａは、１以上のフォト画像データＤ１の表示順が、フォト画像データＤ１における画像分類や画像認識の結果に基づき、決定されてよい。当該画像分類及び物体認識のそれぞれは、画像が何の物体／風景を示すかを判定する処理、及び、画像中の顔等を１以上検出する処理のそれぞれを示す。例えば、特定の人物が写っている画像等の表示順を上げ、優先的に表示処理してよい。
本発明の一実施形態において、画像分類及び／又は物体認識は、管理サーバ３又は外部サービスにより行われる。当該外部サービスは、ＡＰＩを介して実行結果を返す。このとき、実行結果はフォト画像データＤ１に画像処理データとしてタグ等の態様で付与されてよい。画像分類及び物体認識の少なくとも１つは、機械学習モデルに基づき行われてよい。
【００５９】
指定ステップＳ２０Ｂは、指定ステップＳ２０Ａによりフォト画像データＤ１が指定された後に、データベースＤＢ３２上のフレーム画像データＤ２の指定を行う。
【００６０】
指定ステップＳ２０Ｂは、１以上のフレーム画像データＤ２のそれぞれと、１のフォト画像データＤ１と、を重ねて表示処理し、重ねられて表示処理されたフレーム画像データＤ２及び１のフォト画像データＤ１が指定された場合、合成ステップＳ３０に移行する。
【００６１】
指定ステップＳ２０Ｂは、フォト画像データＤ１に係る拡大、縮小、位置調整、回転の少なくとも１つを行う。
【００６２】
指定ステップＳ２０Ｂは、フォト画像データＤ１の画像分類又は物体認識の結果に基づき、重ねられた表示物としてのフォト画像データＤ１及びフレーム画像データＤ２の表示順を決定してよい。
【００６３】
指定ステップＳ２０Ｂは、プリント端末データに基づき、重ねられた表示物としてのフォト画像データＤ１及び所定のフレーム画像データＤ２の表示順を上げてよい。
プリント端末データは、プリント端末１上に格納され、プリント端末位置データやプリント端末識別データ等を含み、固有なフレーム画像データＤ２と対応する。
【００６４】
指定ステップＳ２０Ｃは、注文データの指定を行う。
注文データは、合成画像データＤ３に基づくプリント処理における、プリント枚数・プリント物のサイズ（寸法）・プリント物の種類等に係る情報を含む。
【００６５】
指定ステップＳ２０Ｄは、ユーザデータの指定を行う。
ユーザデータは、ユーザ名・メールアドレス・アカウントデータ等の情報を含む。
ユーザデータは、１以上のメールアドレス又はアカウントデータと対応し、当該アカウントデータは、指定ステップＳ２０Ａで指定されたアカウントデータを含んでよい。
【００６６】
指定ステップＳ２０Ｘは、合成画像管理コードＤ０の指定を行う。
合成画像管理コードＤ０の詳細については、後述する。
【００６７】
指定ステップＳ２０は、ユーザが合成画像管理コードＤ０の利用意思を示し、かつ、合成画像管理コードが既に生成されてる場合、少なくとも、指定ステップＳ２０Ｘを含み、指定ステップＳ２０Ａ及びＳ２０Ｂは含まない。
指定ステップＳ２０は、ユーザが合成画像管理コードＤ０の利用意思を示さない場合、少なくとも、指定ステップＳ２０Ａ及びＳ２０Ｂを含み、指定ステップＳ２０Ｘは含まない。
【００６８】
合成ステップＳ３０は、指定ステップＳ２０において指定されたフォト画像データＤ１及びフレーム画像データＤ２に基づき、合成画像データＤ３の生成を行う。
【００６９】
合成ステップＳ３０は、フォト画像データＤ１をソースレイヤー、フレーム画像データＤ２を対象レイヤーとするレイヤー合成の態様で、合成画像データＤ３を生成する。
【００７０】
合成ステップＳ３０は、通常・比較（明）・比較（暗）・リニア（加算）・減算・乗算・除算・焼き込み・スクリーン・オーバーレイ・ハードライト・アルファブレンド等の慣用の手法に基づく描画モードにより、合成画像データＤ３を生成する。
なお、対象レイヤーの色情報のみに基づき、ソースレイヤー及び対象レイヤーの重複部分の色情報が決定されてもよい。
【００７１】
合成画像データＤ３のデータ形式は、ｅｐｓファイル、ｔｉｆｆファイル、ｐｓｄファイル、ｊｐｇファイル、ｇｉｆファイル、ｐｎｇファイル、ｂｍｐファイル等の慣用のデータ形式から適宜選択される。なお、当該データ形式は、ｐｄｆファイルであってよい。
【００７２】
合成画像データＤ３の解像度は、好ましくは７２ｄｐｉ以上であり、より好ましくは１００ｄｐｉ以上であり、より好ましくは１５０ｄｐｉ以上であり、より好ましくは２００ｄｐｉ以上であり、より好ましくは２６０ｄｐｉ以上であり、より好ましくは３００ｄｐｉ以上であり、より好ましくは３５０ｄｐｉ以上であり、より好ましくは４００ｄｐｉ以上である。
【００７３】
合成ステップＳ３０は、合成画像データＤ３のタイムスタンプを生成し、当該タイムスタンプと、合成画像データＤ３と、をデータベースＤＢ３４に格納し、決済ステップＳ４０に移行する。
タイムスタンプは、合成画像データＤ３の生成日時を示す。
【００７４】
決済ステップＳ４０は、少なくとも指定ステップＳ２０において指定された注文データに基づき決済処理を行う。
決済ステップＳ４０は、合成画像データＤ３にさらに基づき決済処理を行ってよいし、フレーム画像データＤ２にさらに基づき決済処理を行ってもよい。
なお、決済ステップＳ４０は、ユーザ端末２による決済依頼ステップを含む。
【００７５】
決済ステップＳ４０では、まず、プリント用決済情報表示部Ｅ１２Ｂにおいて決済金額を示す情報を表示処理し、決済スキームの選択を推奨する情報を表示処理する。
【００７６】
決済ステップＳ４０は、プリント用決済情報操作部Ｅ１２Ｃを介して決済スキームが選択された後に、プリント用近接通信部Ｅ１２Ｄと、接触／非接触ＩＣカード等の近距離無線通信、又は、プリント用コード読取器Ｅ１２Ｅによるコードの読取処理が行われる。
決済依頼ステップは、接触／非接触ＩＣカード等や当該コードに係るアクティベート処理を含む。
【００７７】
決済ステップＳ４０では、最後に、プリント用決済管理部Ｅ１２Ｆが、近距離無線通信又は読取処理の完了の後に、外部サービスとの決済管理用通信を行う。
【００７８】
決済ステップＳ４０は、決済管理用通信が決済成功を示す場合、プリント用決済情報表示部Ｅ１２Ｂに決済成功を示す情報を表示処理し、プリントステップＳ５０に移行する。なお、決済失敗の場合、決済ステップＳ４０は決済処理の何れかのステップに戻る。
なお、決済ステップＳ４０に行われた決済処理に係る情報は、決済データとして、後述の管理ステップＳ６０によりデータベース上に格納される。
【００７９】
プリントステップＳ５０は、合成画像データＤ３に基づきプリント処理を行い、プリント物Ｐ０を作製する。
【００８０】
プリントステップＳ５０は、例として、指定ステップＳ２０が合成画像データＤ３を指定した後に、プリント処理を行う。
プリントステップＳ５０は、例として、決済ステップＳ４０が決済処理を完了した後に、プリント処理を行う。
プリントステップＳ５０は、例として、後述する管理ステップＳ６０がデータベース更新を完了した後に、プリント処理を行う。
【００８１】
プリントステップＳ５０は、プリント物Ｐ０の片面に合成画像データＤ３をプリント処理し、プリント物Ｐ０の片面に合成画像管理コードＤ０をプリント処理してもよい。
【００８２】
管理ステップＳ６０は、決済ステップＳ４０が決済処理を完了した後に、データベースＤＢ３３又はデータベースＤＢ３４の更新を行う。
【００８３】
管理ステップＳ６０は、データベースＤＢ３３上に、合成画像管理コードＤ０の有無又は有効か否かと、指定ステップＳ２０が指定したフレーム画像データＤ２、ユーザデータと、決済データと、注文データと、プリント端末データと、を対応付けた上で格納する。
【００８４】
管理ステップＳ６０は、データベースＤＢ３４上に、合成画像管理コードＤ０を、合成画像データＤ３及びタイムスタンプと対応付けた上で格納する。
【００８５】
管理ステップＳ６０は、合成画像データＤ３の生成日時から所定時間Ｔ０（図示せず）のみ有効な合成画像管理コードＤ０の生成を行う。
管理ステップＳ６０は、乱数データに基づき当該生成を行ってもよいし、合成画像データＤ３を含む各種データベース上の何れかの情報に基づき当該生成を行ってもよい。
【００８６】
合成画像管理コードＤ０は、好ましくは、数字・英数字・記号を含む文字列データであり、その文字数は、好ましくは１２以下であり、より好ましくは１０以下であり、より好ましくは８以下である。また、合成画像管理コードＤ０の文字数は、好ましくは４以上であり、より好ましくは６以上であり、好ましくは８以上である。
合成画像管理コードＤ０は、より好ましくは、１次元又は２次元コードを示す画像データである。
【００８７】
管理ステップＳ６０は、タイムスタンプに基づき、データベースＤＢ３４上の合成画像データＤ３の削除を行う。本発明の一実施形態では、当該削除に加えて、当該合成画像データＤ３と対応する合成画像管理コードＤ０を無効化してもよい。本明細書中の説明におけるコードの無効化とは、コード入力に伴う処理が行われないこと、を指す。
【００８８】
管理ステップＳ６０は、タイムスタンプが示す合成画像データＤ３の生成日時から所定時間Ｔ０経過している場合、前述の削除／無力化を行う。
所定時間Ｔ０は、好ましくは１時間以上であり、より好ましくは３時間以上であり、より好ましくは６時間以上であり、より好ましくは１２時間以上であり、より好ましくは１８時間以上であり、より好ましくは２４時間以上である。また、所定時間Ｔ０は、好ましくは２４時間以下であり、より好ましくは１８時間以下であり、より好ましくは１２時間以下であり、より好ましくは６時間以下であり、より好ましくは３時間以下であり、より好ましくは１時間以下である。
【００８９】
管理ステップＳ６０は、合成画像データＤ３と対応する合成画像管理コードＤ０が生成されていない場合、合成画像データＤ３に係るプリント処理の完了を転機として、合成画像データＤ３の削除を行う。
管理ステップＳ６０は、例として、当該プリント処理の完了と同時に合成画像データＤ３の削除を行う。また、管理ステップＳ６０は、例として、当該プリント処理の完了から所定時間Ｔ０経過後に、合成画像データＤ３の削除を行う。
所定時間Ｔ０は、好ましくは１時間以内であり、より好ましくは３０分以内であり、より好ましくは１０分以内であり、より好ましくは５分以内であり、より好ましくは１分以内である。
なお、管理ステップＳ６０は、所定時間Ｔ０内に行われたユーザ意思入力を転機として前述の削除を行わない構成としてもよい。このとき、管理ステップＳ６０は、合成画像管理コードＤ０の生成を行う。
【００９０】
管理ステップＳ６０は、合成画像管理コードＤ０が生成されている場合、当該合成画像管理コードＤ０と対応する合成画像データＤ３と、当該合成画像管理コードＤ０と、を所定時間Ｔ０のみ保持する。このとき、例として、決済ステップＳ４０が決済処理を完了させた時点から以降のステップに移行していない合成画像データＤ３が削除されることは勿論である。
【００９１】
開示ステップＳ７０は、管理ステップＳ６０が生成した合成画像管理コードＤ０に係る表示処理／通知処理を行う。
当該表示処理は、好ましくは、プリント端末１上で行われる。
当該通知処理は、好ましくは、前述のユーザデータに含まれるメールアドレス／アカウントデータに基づき、データ配信の態様で行われる。
【００９２】
開示ステップＳ７０は、前述の表示処理及び／又は通知処理を行う。
【００９３】
開示ステップＳ７０は、例として、合成ステップＳ３０が合成画像データＤ３の生成を完了したことを転機として、前述の表示処理／通知処理を行ってよい。
開示ステップＳ７０は、例として、決済ステップＳ４０が決済処理を完了したことを転機として、前述の表示処理／通知処理を行ってよい。
開示ステップＳ７０は、例として、管理ステップＳ６０が合成画像管理コードＤ０の生成を行ったことを転機として、前述の表示処理／通知処理を行ってよい。
【００９４】
本発明の一実施形態では、図６に示すような、アップロードステップＳ１０が行われる構成としてもよい。
【００９５】
アップロードステップＳ１０は、外部サービスへのフォト画像データＤ１のアップロード処理（アップロードステップＳ１０１）と、当該外部サービスからデータベースＤＢ３１Ａへの当該フォト画像データＤ１と対応するアカウントデータ及びフォト画像リンクデータの格納（アップロードステップＳ１０２）と、を含む。
【００９６】
アップロードステップＳ１０は、外部サービスへのフォト画像データＤ１のアップロード処理（アップロードステップＳ１０３）と、当該外部サービスからデータベースＤＢ３１Ｂへの当該フォト画像データＤ１と対応するハッシュタグデータ及びフォト画像リンクデータの格納（アップロードステップＳ１０４）と、を含む。外部サービスは、慣用のソーシャルネットワークサービスやメッセージサービス等であり、その種別に制限はない。なお、外部サービスとのデータ送受信はＡＰＩを介して適宜、行われる。
【００９７】
アップロードステップＳ１０は、アップロード用サーバ（及びデータベースＤＢ３１Ｃ）へのフォト画像データＤ１のアップロード処理（アップロードステップＳ１０５）と、当該フォト画像データＤ１と、当該フォト画像データＤ１と対応するユーザ端末データと、アップロード識別コードの生成／表示（アップロードステップＳ１０６）と、を含む。ユーザ端末データは、アップロード処理を行ったユーザ端末２に係る識別データを指す。
アップロードステップＳ１０は、合成画像管理コードＤ０と対応付けながらフォト画像データＤ１を外部サービスにおける管理サーバへアップロード処理する（アップロードステップＳ１０７）。このとき、データベースＤＢ３１Ｄには当該管理サーバから取得されたアカウントデータと合成画像管理コードＤ０とフォト画像データＤ１とが格納される。
【００９８】
管理ステップＳ６０は、データベースＤＢ３１上のフォト画像データＤ１を、アップロード日時より所定時間Ｔ１経過後に削除する。
所定時間Ｔ１は、好ましくは４８時間以下であり、より好ましくは３６時間以下であり、より好ましくは２４時間以下であり、より好ましくは１８時間以下であり、より好ましくは１２時間以下であり、より好ましくは６時間以下である。
【００９９】
本発明の一実施形態では、指定ステップＳ２０が合成画像データＤ３を指定した後に、プリントステップＳ５０がプリント処理を行う構成をとり得る。具体的には、当該合成画像データＤ３が生成された後に行われた決済処理において余分にプリント処理に係る支払を行った場合、当該合成画像データＤ３と対応する合成画像管理コードＤ０の指定によるプリント処理は決済処理を挟むことなく行われる。
【０１００】
本発明の一実施形態では、１の合成画像データＤ３と、２の合成画像管理コードＤ０が対応してよい。このとき、当該２の合成画像管理コードＤ０の１つは、合成画像管理コードＤ０の生成をリクエストした（生成意思を示した）ユーザにより決済処理が完了等している、合成画像管理コードＤ０である。
また、本発明の一実施形態では、１の合成画像管理コードＤ０がフリープリント回数を示す情報と対応付けられる構成としてもよい。この場合でも、１以上のフリープリント回数を有する当該１の合成画像管理コードが、ユーザにより決済処理が完了等していることは勿論である。
管理ステップＳ６０は、合成画像管理コードＤ０と決済データ及び／又は注文データとを対応付ける。
決済ステップＳ４０は、合成画像管理コードＤ０と対応する決済データ及び／又は注文データに基づき、決済処理を行う。
【０１０１】
本発明の一実施形態では、管理ステップＳ６０が、合成画像管理コードＤ０と、指定ステップＳ２０による当該合成画像管理コードＤ０の指定を起点とするプリントステップＳ５０によるプリント処理の回数を示すシェアリングデータと、を対応付けてよい。
管理ステップＳ６０は、シェアリングデータに基づき、合成画像管理コードＤ０と対応付けられるフリープリント回数を決定する構成としてよい。具体的には、合成画像管理コードＤ０の指定によるプリント処理が一定数、行われた場合、フリープリント回数を増加させる構成としてもよいし、対応付けられる決済金額を下方修正する構成としてもよい。
シェアリングデータはユーザデータと対応付けられる。このとき、異なる合成画像データＤ３に係るシェアリングデータを含む各種データは、同一のユーザデータと対応する。
【０１０２】
本発明の一実施形態では、管理ステップＳ６０が、前述の合成画像データＤ３の削除に係る所定時間Ｔ０を、前述のシェアリングデータに基づき、適宜、延長する構成としてもよい。
【０１０３】
本発明によると、写真交換に係る新たなカルチャーを創出可能な、プリント管理方法、プリント管理システム及びプリント管理プログラムを実現することができる。
【符号の説明】
【０１０４】
１          プリント端末
２          ユーザ端末
３          管理サーバ
４          アップロードサーバ
ＮＷ        通信ネットワーク
Ｄ１        フォト画像データ
Ｄ２        フレーム画像データ
Ｄ３        合成画像データ
Ｄ０        合成画像管理コード
１０１      プリント入力手段
１０２      プリント表示手段
２０１      ユーザ入力手段
２０２      ユーザ表示手段
２０３      ユーザ撮影手段
２０４      決済依頼手段
Ｍ１０      アップロード手段
Ｍ２０      指定手段
Ｍ３０      合成手段
Ｍ４０      決済手段
Ｍ５０      プリント手段
Ｍ６０      管理手段
Ｍ７０      開示手段
ＤＢ３１、ＤＢ３１Ａ、ＤＢ３１Ｂ、ＤＢ３１Ｃ、ＤＢ３２、ＤＢ３３、ＤＢ３４  データベース
Ｅ１１      プリント用表示部
Ｅ１２Ａ    プリント用決済部
Ｅ１２Ｂ    プリント用決済情報表示部
Ｅ１２Ｃ    プリント用決済情報操作部
Ｅ１２Ｄ    プリント用近接通信部
Ｅ１２Ｅ    プリント用コード読取器
Ｅ１２Ｆ    プリント用決済管理部
Ｅ１３      プリント用制御部
Ｅ１４      プリント用通信部
Ｅ１５      プリント用施錠部
Ｅ１６    プリント部
Ｅ１６Ａ    プリント物取出口
Ｅ１７      プリント用電源部
Ｓ１０、Ｓ１０１、Ｓ１０２、Ｓ１０３、Ｓ１０４  アップロードステップ
Ｓ２０、Ｓ２０Ａ、Ｓ２０Ｂ、Ｓ２０Ｃ、Ｓ２０Ｄ、Ｓ２０Ｘ  指定ステップ
Ｓ３０      合成ステップ
Ｓ４０      決済ステップ
Ｓ５０      プリントステップ
Ｓ６０      管理ステップ
Ｓ７０      開示ステップ
Ｐ０        プリント物
Ｐ１        切取線
Ｐ０Ａ、Ｐ０Ｂ  寸法
Ｔ０、Ｔ１      所定時間
【図１】
2020203440.tif 000003
【図２】
2020203440.tif 000004
【図３】
2020203440.tif 000005
【図４】
2020203440.tif 000006
【図５】
2020203440.tif 000007
【図６】
2020203440.tif 000008